(57)【要約】【課題】ベースステーション(101)とユーザ装置(102)との間の送信に対する変調及びコード化スキームをコントロールする方法を提供する。【解決手段】その変調及びコード化スキームは、第１の最大変調次数をもつ複数の変調及びコード化スキームに対応するエントリを含む第１の変調及びコード化スキームテーブルに基づいて選択でき、又は第２の最大変調次数をもつ複数の変調及びコード化スキームに対応するエントリを含む第２の変調及びコード化スキームテーブルに基づいて選択できる。この方法は、第１の変調及びコード化スキームテーブル又は第２の変調及びコード化スキームテーブルをベースステーション(101)により選択し、及びベースステーション(101)とユーザ装置(102)との間の送信に対する変調及びコード化スキームを、その選択された変調及びコード化スキームテーブルに基づき、ベースステーション(101)によりコントロールする。【選択図】図１
2020065291.tif 000002
【特許請求の範囲】
【請求項１】
ベースステーション(101)とユーザ装置(102)との間の送信に対する変調及びコード化スキームをコントロールする方法であって、その変調及びコード化スキームは、第１の最大変調次数をもつ複数の変調及びコード化スキームに対応するエントリを含む第１の変調及びコード化スキームテーブルに基づいて選択可能であるか、又は第２の最大変調次数をもつ複数の変調及びコード化スキームに対応するエントリを含む第２の変調及びコード化スキームテーブルに基づいて選択可能である方法において、
前記第１の変調及びコード化スキームテーブル又は前記第２の変調及びコード化スキームテーブルを前記ベースステーション(101)によって選択し、及び
前記ベースステーション(101)と前記ユーザ装置(102)との間の送信に対する前記変調及びコード化スキームを、前記選択された変調及びコード化スキームテーブルに基づいて、前記ベースステーション(101)によりコントロールする、
ことを含む方法。
【請求項２】
前記第２の最大変調次数は、前記第１の最大変調次数より高く、特に、前記第１の最大変調次数は、６４ＱＡＭに対応し、前記第２の変調次数は、２５６ＱＡＭに対応する、請求項１に記載の方法。
【請求項３】
前記方法は、更に、
前記ベースステーション(101)と前記ユーザ装置(102)との間の送信に使用される無線送信チャンネルの実際のチャンネル状態を前記ベースステーション(101)により決定し、
前記決定された実際のチャンネル状態に基づいて最大のサポートされる変調次数を前記ベースステーション(101)により決定し、及び
前記最大のサポートされる変調次数と前記第１の最大の変調次数及び前記第２の最大の変調次数との比較に基づいて前記第１の変調及びコード化スキームテーブル又は前記第２の変調及びコード化スキームテーブルを前記ベースステーション(101)により選択する、ことを含む請求項２に記載の方法。
【請求項４】
前記方法は、更に、前記選択された変調及びコード化スキームテーブルを表わす情報を前記ユーザ装置(102)へ送信することを含む、請求項１から３のいずれか１項に記載の方法。
【請求項５】
前記ユーザ装置(102)への情報の送信は、無線リソースコントロールシグナリングに基づく、請求項４に記載の方法。
【請求項６】
前記ユーザ装置(102)への情報の送信は、暗示的なシグナリングに基づく、請求項４又は５に記載の方法。
【請求項７】
前記方法は、更に、前記選択された変調及びコード化スキームテーブルの行われた変更を表わす確認情報を前記ユーザ装置(102)から受信することを含む、請求項３から５のいずれか１項に記載の方法。
【請求項８】
前記第１の変調及びコード化スキームテーブル並びに前記第２の変調及びコード化スキームテーブルは、各々、前記第１の変調及びコード化スキームテーブル並びに前記第２の変調及びコード化スキームテーブル内の同じ位置に配置された等しいエントリの共通サブセットを含み、
特に、前記方法は、更に、
前記選択された変調及びコード化スキームテーブルを表わす情報を前記ユーザ装置(102)へ送信した後であって且つ前記ユーザ装置(102)から前記確認情報を受信する前に、前記選択された変調及びコード化スキームテーブルに基づく前記ベースステーション(101)と前記ユーザ装置(102)との間の送信のための前記変調及びコード化スキームを、前記エントリの共通サブセットに基づいてコントロールする、
ことを含む請求項７に記載の方法。
【請求項９】
前記ベースステーション(101)と前記ユーザ装置(102)との間の最初の送信をコントロールすることは、前記第１の変調及びコード化スキームテーブルに基づく、請求項１から８のいずれか１項に記載の方法。
【請求項１０】
変調及びコード化スキームインデックスを搬送するビットは、前記第１の変調及びコード化スキームテーブルと、前記第２の変調及びコード化スキームテーブルとについて同じである、請求項１から９のいずれか１項に記載の方法。
【請求項１１】
前記実際のチャンネル状態は、前記第１の最大変調次数をサポートする第１のチャンネル品質指示子テーブルに基づくか又は前記第２の最大変調次数をサポートする第２のチャンネル品質指示子テーブルに基づいて選択可能なチャンネル品質指示子に基づいて決定され、前記方法は、
前記ユーザ装置(102)からのチャンネル品質指示子を前記ベースステーション(101)により受信し、及び
前記受信したチャンネル品質指示子に基づいて前記ベースステーション(101)と前記ユーザ装置(102)との間の送信に使用される無線送信チャンネルの実際のチャンネル状態を前記ベースステーション(101)により決定する、
ことを含む請求項１から１０のいずれか１項に記載の方法。
【請求項１２】
前記方法は、更に、
前記選択された変調及びコード化スキームテーブルに基づいて、前記第１のチャンネル品質指示子テーブル又は前記第２のチャンネル品質指示子テーブルを前記ベースステーション(101)により選択し、及び
前記選択されたチャンネル品質指示子テーブルを表わす情報を前記ユーザ装置(102)へ送信する、
ことを含む請求項１１に記載の方法。
【請求項１３】
前記第１のチャンネル品質指示子テーブル及び前記第２のチャンネル品質指示子テーブルは、各々、前記第１のチャンネル品質指示子テーブル及び前記第２のチャンネル品質指示子テーブル内の同じ位置に配置された等しいエントリの共通サブセットを含む、請求項１１又は１２のいずれか１項に記載の方法。
【請求項１４】
ベースステーション(101)とユーザ装置(102)との間の送信に対する変調及びコード化スキームをコントロールするためのベースステーション(101)であって、その変調及びコード化スキームは、第１の最大変調次数をもつ複数の変調及びコード化スキームに対応するエントリを含む第１の変調及びコード化スキームテーブルに基づいて選択可能であるか、又は第２の最大変調次数をもつ複数の変調及びコード化スキームに対応するエントリを含む第２の変調及びコード化スキームテーブルに基づいて選択可能であるベースステーションにおいて、
前記第１の変調及びコード化スキームテーブル又は第２の変調及びコード化スキームテーブルを選択するための選択ユニット(403)と、
前記ベースステーション(101)と前記ユーザ装置(102)との間の送信に対する変調及びコード化スキームを、前記選択された変調及びコード化スキームテーブルに基づいてコントロールするためのコントロールユニット(404)と、
を備えたベースステーション(101)。
【請求項１５】
請求項１４に記載のベースステーション(101)を備えたセルラーネットワークシステム(100)。
【発明の詳細な説明】
【技術分野】
【０００１】
本発明は、セルラーネットワークの分野、特に、ＬＴＥネットワークの進化に関するもので、より特定すれば、ＬＴＥネットワーク及び進化型ＬＴＥネットワークを含むネットワークに関する。
【背景技術】
【０００２】
ＬＴＥについては更なる開発がなされており、例えば、２０２０年に商業的に入手できると仮定したビヨンド４Ｇ（Ｂ４Ｇ）無線システムに関して開発がなされている。しかしながら、新規リリース内のいずれかの日にＬＴＥの進化が導入されるかもしれない。
【０００３】
ＬＴＥは、６４ＱＡＭ変調及び８×８ＭＩＭＯ送信を使用することで３０ｂｐｓ／Ｈｚのピークビットレートを発揮する。その結果、Ｂ４Ｇは、将来の要件を満足するために、６４ＱＡＭより高次の変調、例えば、２５６ＱＡＭを必要とする。高次の変調は、優れたチャンネル品質及び優れた高周波（ＲＦ）特性のために、例えば、リレーバックホールに適切であり、それらの特性は、ユーザ装置（ＵＥ）又は分離型屋内セルよりもリレーに対して容易に実現可能であり、その場合、ＵＥは、アクセスポイントに接近していて、ひいては、アクセスポイントへの良好なリンクを有し、且つ他のアクセスポイントからの干渉は壁による減衰のためにほとんど又は全くない。
【０００４】
ＬＴＥリリース１０の変調次数の決定は、ＴＳ３６．２１３  Ｖ１０．３、チャプター７．１．７及びＣＱＩ定義、チャプター７．２．３に記載されている。ＬＴＥ（及びＬＴＥ−アドバンスト）では、理論的なスペクトル効率が６４ＱＡＭ変調により制限される。２５６ＱＡＭへの拡張でスペクトル効率の改善が得られる。
【０００５】
ＬＴＥ規格では、ＭＣＳ（modulation and coding scheme, 変調及びコード化スキーム）インデックス及び変調テーブル並びにＣＱＩ（channel quality indicator, チャンネル品質指示子）テーブルが定義される。それらは、適切な変調及びコード化スキームを決定しそして選択するために使用される。現在テーブルは、６４ＱＡＭまでサポートする。問題は、上位互換性を維持し且つ著しい複雑さを回避しながら、２５６ＱＡＭ拡張、又はＬＴＥのための他の高次変調拡張をどのように導入するかである。
【発明の概要】
【発明が解決しようとする課題】
【０００６】
ＬＴＥのための上位互換性を維持しながら高次の変調への拡張を許すように適応される改良された且つ融通性のあるシステム及び方法が要望される。特に、シグナリングフォーマットを維持し、より詳細には、異なるエンコードスキームを使用する必要があり且つ潜在的にいわゆるブラインドデコーディングを適用すべき場合と同じビット数を使用することが要望される。
【課題を解決するための手段】
【０００７】
前記要望は、独立請求項に基づく要旨によって満足される。本発明の効果的な実施形態は、従属請求項に記載する。
【０００８】
本発明の第１の態様によれば、ベースステーションとユーザ装置との間の送信に対する変調及びコード化スキームをコントロールする方法であって、その変調及びコード化スキームは、第１の最大変調次数をもつ複数の変調及びコード化スキームに対応するエントリを含む第１の変調及びコード化スキームテーブルに基づいて選択可能であるか、又は第２の最大変調次数をもつ複数の変調及びコード化スキームに対応するエントリを含む第２の変調及びコード化スキームテーブルに基づいて選択可能である方法が提供される。この方法は、第１の変調及びコード化スキームテーブル又は第２の変調及びコード化スキームテーブルをベースステーションにより選択し、そしてベースステーションとユーザ装置との間の送信に対する変調及びコード化スキームを、その選択された変調及びコード化スキームテーブルに基づいて、ベースステーションによりコントロールする、ことを含む。
【０００９】
本発明のこの態様は、上位互換性を維持しながら、変調及びコード化スキームテーブルをより高次の変調へ拡張するという考え方に基づく。第１のテーブルは、例えば、６４ＱＡＭ（直角振幅変調）までサポートし、そして第２のテーブルは、例えば、２５６ＱＡＭ、又は他のより高次の変調拡張までサポートする。ここでは、２５６ＱＡＭを明確に述べるが、第１のテーブルに使用されるものより高次の他の変調、例えば、１２８ＱＡＭも使用できるし、或いは一般的に、変調次数又はコード化スキーム又はその両方により特徴付けられる高次の変調及びコード化スキーム（ＭＣＳ）も使用できることに注意されたい。
【００１０】
この方法の考え方は、低い変調次数に対して導入される変調及びコード化スキーム（ＭＣＳ）テーブルを依然サポートしながら、より高次の変調を導入することである。
【００１１】
本書において「変調次数(modulation order)」という語は、それを使用して送信できる異なる記号の数で決定される。一般的に、ＭＣＳは、異なるコードレートも考慮し、従って、記号当たりに送信できるペイロードビットの平均数を指示する。第１の最大変調次数及び第２の最大変調次数は、同じでもよいし、異なってもよい。
【００１２】
「変調及びコード化スキームテーブル」という語は、ＬＴＥで定義されるＭＣＳテーブルを指し、適当な変調及びコード化スキームを決定及び選択するのに使用されるものである。第２のテーブルは、ＬＴＥで定義されるＭＣＳに基づく拡張型ＭＣＳテーブルであるが、高次の変調に対応するエントリを含む。例えば、上位互換性は、第１のテーブルを、ＬＴＥ規格で現在定義されたように厳密なものにすることで保証される。
【００１３】
第１及び第２のテーブルは、幾つかの観点が異なってもよい。例えば、１つのテーブルは、低いＭＣＳに向かって偏るようにされ、そして第２のテーブルは、高いＭＣＳ値に向かって偏るようにされてもよい。例えば、１つのテーブルは、あるスレッシュホールドＭＣＳより低いＭＣＳ値をより多く有してもよい。又、低いＭＣＳにおけるＭＣＳ値の密度が一方のテーブルにおいて高くてもよく、或いはＭＣＳ値の重心又は平均が一方のテーブルにおいて低くてもよい。１つの実施形態では、一方のテーブルが他方の鏡像であり、例えば、中央のＭＣＳにおいて鏡像化される。
【００１４】
本書において「ベースステーション」という語は、そのようなＭＣＳテーブルから変調及びコード化スキームを選択することによりユーザ装置又は他のネットワーク装置と通信できる任意の種類の物理的エンティティを表わす。本書におけるベースステーションは、方法のための所要の機能を提供する任意の種類のネットワーク装置でもよいし、中央エンティティと通信するトランシーバノードでもよい。ベースステーションは、例えば、ＮｏｄｅＢ又はｅＮＢである。
【００１５】
ベースステーションは、使用するＭＣＳテーブルの変更についてＵＥに明確に通知するか、或いは能力問合せ手順の一部分として通知しそしてＭＣＳテーブルを暗示的に選択する。
【００１６】
本発明の一実施形態によれば、第２の最大変調次数は、第１の最大変調次数より高い。特に、第１の最大変調次数は、６４ＱＡＭに対応し、そして第２の最大変調次数は、２５６ＱＡＭに対応する。
【００１７】
他の変調次数、例えば、１２８ＱＡＭも使用できることに注意されたい。
【００１８】
更に、チャンネルが突然良好になった場合に素早く反応できるように前記第１のテーブルには少数の高いＭＣＳが含まれる。
【００１９】
本発明の更に別の実施形態によれば、最大変調次数は、最も高い変調及びコード化スキーム（ＭＣＳ）に対応する。更に、その最も高い変調及びコード化スキームは、両テーブルについて同じである。
【００２０】
本発明の更に別の実施形態によれば、前記方法は、更に、ベースステーションとユーザ装置との間の送信に使用される無線送信チャンネルの実際のチャンネル状態をベースステーションにより決定し、その決定された実際のチャンネル状態に基づいて最大のサポートされる変調次数をベースステーションにより決定し、そしてその最大のサポートされる変調次数と第１の最大の変調次数及び第２の最大の変調次数との比較に基づいて第１の変調及びコード化スキームテーブル又は第２の変調及びコード化スキームテーブルをベースステーションにより選択する、ことを含む。
【００２１】
実際のチャンネル状態が高次の変調をサポートしないか又はユーザ装置（ＵＥ）が高次の変調をサポートできない場合には、ベースステーションは、第１のテーブルに基づいて送信のための変調及びコード化を遂行する。実際のチャンネル状態が高次の変調に充分なほど良好であり且つＵＥが高次の変調をサポートする場合には、ベースステーションは、例えば、２５６ＱＡＭまでの高次の変調をサポートする第２のテーブルに基づき変調及びコード化を遂行する。
【００２２】
本発明の更に別の実施形態によれば、前記方法は、更に、その選択された変調及びコード化スキームテーブルを表わす情報をユーザ装置へ送信することを含む。
【００２３】
ベースステーションは、選択され使用されるＭＣＳテーブルに関する情報を含む信号をＵＥに与える。次いで、ＵＥは、その情報に基づいてＣＱＩレポートのような更なるアクションを遂行する。
【００２４】
本発明の更に別の実施形態によれば、ユーザ装置への情報の送信は、無線リソースコントロールシグナリングに基づく。
【００２５】
共通のシグナリンクを使用することにより、ＵＥは、選択されたＭＣＳテーブルに関して容易に通知される。この情報は、他のリソースコントロールに鑑みＵＥの情報より成る任意の情報信号にも含まれる。
【００２６】
本発明の更に別の実施形態によれば、ユーザ装置への情報の送信は、暗示的なシグナリングに基づく。
【００２７】
これは、ＵＥがベースステーションから情報を受け取りそしてその情報に基づいて前記選択されたＭＣＳテーブルを決定するケースを指す。これは、例えば、能力をｅＮＢに利用できるようにもする能力問合せ手順の一部分としてのケースである。ｅＮＢがＵＥの能力を決定するこの種の設定手順の間に、テーブルが切り替えられ、そしてＵＥは、特定のシグナリングを伴わずに暗示的に通知される。
【００２８】
本発明の更に別の実施形態によれば、前記方法は、選択された変調及びコード化スキームテーブルの行われた変更を表わす確認情報をユーザ装置から受信することを含む。
【００２９】
ベースステーションは、ＵＥから確認信号を受信した後に１つのテーブルから選択されたＭＣＳテーブルへの変更を実行する。従って、確認信号は、ベースステーションにより実行されるＭＣＳテーブルの最終的な変更を表わす。
【００３０】
本発明の更に別の実施形態によれば、第１の変調及びコード化スキームテーブル並びに第２の変調及びコード化スキームテーブルは、各々、第１の変調及びコード化スキームテーブル並びに第２の変調及びコード化スキームテーブル内の同じ位置に配置された等しいエントリの共通サブセットを含む。特に、この方法は、選択された変調及びコード化スキームテーブルを表わす情報をユーザ装置へ送信した後であって且つユーザ装置から確認情報を受信する前に、前記選択された変調及びコード化スキームテーブルに基づくベースステーションとユーザ装置との間の送信のための変調及びコード化スキームを、エントリの共通サブセットに基づいてコントロールすることを含む。
【００３１】
両ＭＣＳテーブルに共通のエントリを使用することで、ベースステーションは、ＵＥからの確認信号がない限り、共通のエントリを使用する。これは、両部分（ベースステーション及びＵＥ）が（おそらく異なるテーブルを使用するが）同じ変調及びコード化スキームを使用するので誤解や誤った変調及びコード化がないという効果を発揮する。
【００３２】
本発明の更に別の実施形態によれば、ベースステーションとユーザ装置との間の最初の送信をコントロールすることは、第１の変調及びコード化スキームテーブルに基づく。
【００３３】
ベースステーション及びＵＥは、各通信の始めに最大変調次数の低いＭＣＳテーブルを使用する。これは、各通信が同じテーブルで開始し、そしてその後、ベースステーションがＭＣＳテーブルを変更すべきかどうか判断するという効果を発揮する。次いで、高次の変調をサポートするＭＣＳテーブルをＵＥがサポートできる場合には、実際のチャンネル状態に基づいて変更が行われる。
【００３４】
本発明の更に別の実施形態によれば、変調及びコード化スキームインデックスを搬送するビットは、第１の変調及びコード化スキームテーブルと、第２の変調及びコード化スキームテーブルとについて同じである。
【００３５】
従って、ＭＣＳテーブルの既存の形態を変更することもそのテーブルからの選択を搬送するのに使用されるコード化及び送信メカニズムを変更することも必要なく、上位互換性があることが保証される。より特定の実施形態では、テーブルは、同じサイズをもつ。特に、第１のＭＣＳテーブル及び第２のＭＣＳテーブルの一部分が等しく、上述した共通のエントリを与える。非常に低い変調次数に関連した第１のＭＣＳテーブルのエントリは、第２のＭＣＳテーブルに対して交換（再定義）され、より高次の変調を含む。
【００３６】
本発明の更に別の実施形態によれば、実際のチャンネル状態は、第１の最大変調次数をサポートする第１のチャンネル品質指示子テーブルに基づくか又は第２の最大変調次数をサポートする第２のチャンネル品質指示子テーブルに基づいて選択可能なチャンネル品質指示子に基づいて決定され、この方法は、ユーザ装置からのチャンネル品質指示子をベースステーションにより受信し、そしてその受信したチャンネル品質指示子に基づいてベースステーションとユーザ装置との間の送信に使用される無線送信チャンネルの実際のチャンネル状態をベースステーションにより決定することを含む。
【００３７】
ＭＣＳテーブルと同様に、ＣＱＩテーブルも、ＭＣＳテーブルの選択に基づいて選択される。第１のＭＣＳテーブルから第２のＭＣＳテーブルへの切り換え又は変更がある場合には、第１のＣＱＩテーブルから第２のＣＱＩテーブルへの変更もある。従って、ＵＥは、選択されたＭＣＳテーブルに対応するテーブルに基づいてＣＱＩを決定する。
【００３８】
本発明の更に別の実施形態によれば、この方法は、選択された変調及びコード化スキームテーブルに基づいて第１のチャンネル品質指示子テーブル又は第２のチャンネル品質指示子テーブルをベースステーションにより選択し、そしてその選択されたチャンネル品質指示子テーブルを表わす情報をユーザ装置へ送信することを含む。
【００３９】
選択されたＣＱＩテーブルの情報は、ベースステーションからＵＥに与えられる。又、その情報は、選択されたＭＣＳテーブルをユーザ装置に通知することにより暗示的に与えられてもよい。
【００４０】
本発明の更に別の実施形態によれば、第１のチャンネル品質指示子テーブル及び第２のチャンネル品質指示子テーブルは、各々、第１のチャンネル品質指示子テーブル及び第２のチャンネル品質指示子テーブル内の同じ位置に配置された等しいエントリの共通サブセットを含む。
【００４１】
ＭＣＳテーブルと同様に、ＣＱＩテーブルも、共通のサブセットを含む。従って、切り換えの間に、ＵＥとベースステーションとの間に誤解がないことが保証される。
【００４２】
本発明の第２の態様によれば、ベースステーションとユーザ装置との間の送信に対する変調及びコード化スキームをコントロールするためのベースステーションであって、その変調及びコード化スキームは、第１の最大変調次数をもつ複数の変調及びコード化スキームに対応するエントリを含む第１の変調及びコード化スキームテーブルに基づいて選択可能であるか、又は第２の最大変調次数をもつ複数の変調及びコード化スキームに対応するエントリを含む第２の変調及びコード化スキームテーブルに基づいて選択可能であるベースステーションが提供される。このベースステーションは、第１の変調及びコード化スキームテーブル又は第２の変調及びコード化スキームテーブルを選択するための選択ユニットと、ベースステーションとユーザ装置との間の送信に対する変調及びコード化スキームを、その選択された変調及びコード化スキームテーブルに基づいてコントロールするためのコントロールユニットと、を備えている。
【００４３】
ベースステーションは、セルラーネットワークシステムへのワイヤレスアクセスを与えることのできる任意の形式のアクセスポイント又は取り付けポイントである。従って、ワイヤレスアクセスは、ワイヤレスで通信できるユーザ装置又は他のネットワーク装置に対して行われる。ベースステーションは、ＮｏｄｅＢ、ｅＮＢ、ホームＮｏｄｅＢ又はＨｅＮＢ、或いは他の種類のアクセスポイント又はマルチホップノード又はリレーである。ベースステーションは、特に、Ｂ４Ｇ、ＬＴＥ又は３ＧＰＰセル及び通信に使用される。
【００４４】
ベースステーションは、受信ユニット、例えば、当業者に知られた受信器を含む。又、ベースステーションは、送信ユニット又は伝送ユニット、例えば、送信器も含む。受信器及び送信器は、単一のユニット、例えば、トランシーバとして実施されてもよい。トランシーバ、又は受信ユニット・送信ユニットは、アンテナを経てユーザ装置と通信するようにされる。
【００４５】
ベースステーションは、更に、選択ユニット及びコントロールユニットを備えている。選択ユニット及びコントロールユニットは、単一のユニットとして実施されてもよいし、又は例えば、ＣＰＵ又はマイクロコントローラのような標準的なコントロールユニットの一部分として実施されてもよい。
【００４６】
１つの実施形態において、ベースステーションは、更に、ベースステーションとユーザ装置との間の送信に使用される無線送信チャンネルの実際のチャンネル状態を決定すると共に、その決定された実際のチャンネル状態に基づいて最大のサポートされる変調次数を決定するための決定ユニットも備えている。選択ユニットは、最大のサポートされる変調次数と第１の最大変調次数及び第２の最大変調次数との比較に基づいて第１の変調及びコード化スキームテーブル又は第２の変調及びコード化スキームテーブルを選択する。
【００４７】
決定ユニットは、単一のユニットとして実施されてもよいし、又はＣＰＵ又はマイクロコントローラのような標準的なコントロールユニットの一部分として実施されてもよい。
【００４８】
ユーザ装置（ＵＥ）は、ここに述べるベースステーションに接続することのできる任意の形式の通信端装置である。ＵＥは、特に、セルラー移動電話、パーソナルデジタルアシスタント（ＰＤＡ）、ノートブックコンピュータ、プリンタ、及び／又は任意の他の移動通信装置である。
【００４９】
ユーザ装置は、ベースステーションからの信号を受信するための受信ユニット又は受信器を備えている。ユーザ装置は、信号を送信するための送信ユニットを備えている。送信ユニットは、当業者に知られた送信器である。受信器及び送信ユニットは、単一のユニット、例えば、トランシーバとして実施されてもよい。トランシーバ、又は受信器及び送信ユニットは、アンテナを経てベースステーションと通信するようにされる。
【００５０】
ユーザ装置は、更に、選択されたＭＣＳテーブルを表わすベースステーションから受信した情報に基づいて送信をコントロール及び構成するためのコントロールユニットを備えている。このコントロールユニットは、単一のユニットとして実施されてもよいし、又は例えば、ＣＰＵ又はマイクロコントローラのような標準的コントロールユニットの一部分として実施されてもよい。
【００５１】
本発明の第３の態様によれば、セルラーネットワークシステムが提供される。セルラーネットワークシステムは、上述したベースステーションを備えている。
【００５２】
ここでは、一般的に、第１の態様による方法及び方法の実施形態は、第２又は第３の態様或いはその実施形態に関して述べた１つ以上の機能を遂行することを含む。その逆のことも言え、第２及び第３の態様によるベースステーション又はセルラーネットワークシステム及びその実施形態は、第１の態様又はその実施形態に関して述べた１つ以上の機能を遂行するためのユニット又は装置を含む。
【００５３】
ここに開示する要旨の第４の態様によれば、ベースステーションとユーザ装置との間の送信に対する変調及びコード化スキームをコントロールするためのコンピュータプログラムが提供され、そのコンピュータプログラムは、データプロセッサアッセンブリにより実行されたときに、第１の態様又はその実施形態で述べた方法をコントロールするためのものである。
【００５４】
ここで使用するコンピュータプログラムという語は、上述した方法の実行を整合するためにコンピュータシステムをコントロールするインストラクションを収容するプログラムエレメント及び／又はコンピュータ読み取り可能な媒体という語と同等である。
【００５５】
コンピュータプログラムは、例えば、ＪＡＶＡ（登録商標）、Ｃ＋＋のような適当なプログラミング言語の使用によりコンピュータ読み取り可能なインストラクションコードとして実施され、そしてコンピュータ読み取り可能な媒体（取り外し可能なディスク、揮発性又は不揮発性メモリ、埋め込み型メモリ／プロセッサ、等）に記憶される。インストラクションコードは、意図される機能を実行するようにコンピュータ又は他のプログラム可能な装置をプログラムするように働く。コンピュータプログラムは、それがダウンロードされるワールドワイドウェブのようなネットワークから入手できる。
【００５６】
ここに開示する要旨は、コンピュータプログラム各々ソフトウェアにより実現することができる。しかしながら、ここに開示する要旨は、１つ以上の特定の電子回路各々ハードウェアにより実現されてもよい。更に、ここに開示する要旨は、混成形態、即ちソフトウェアモジュール及びハードウェアモジュールの組み合わせで実現されてもよい。
【００５７】
以上、ここに開示する要旨の規範的な実施形態を述べたが、以下、セルラーネットワークシステム、ベースステーション、及びベースステーションとユーザ装置との間の送信のための変調及びコード化スキームをコントロールする方法について詳細に説明する。当然、ここに開示する要旨の異なる態様に関する特徴の組み合わせも考えられることを指摘しておく。特に、ある実施形態は、装置形式の実施形態を参照して説明し、一方、他の実施形態は、方法形式の実施形態を参照して説明する。しかしながら、当業者であれば、以上及び以下の説明から、特に指示のない限り、１つの態様に属する特徴の組み合わせに加えて、異なる態様又は実施形態に関する特徴間の組み合わせ、例えば、装置形式の実施形態の特徴と方法形式の実施形態の特徴との間の組み合わせが、本出願と共に開示されると考えられる。
【００５８】
上述した態様及び実施形態並びに本発明の更に別の態様及び実施形態は、以下に述べる実施例から明らかであり、図面を参照して説明するが、本発明は、それに限定されない。異なる図面において、同じ又は同様の要素は、同じ参照文字で示されていることに注意されたい。
【図面の簡単な説明】
【００５９】
【図１】本発明の規範的な実施形態によるセルラーネットワークシステムを示す。
【図２】６４ＱＡＭ及び２５６ＱＡＭに対するスペクトル効率のシミュレーションを示す。
【図３】各々６４ＱＡＭ及び２５６ＱＡＭに対して４×４ＭＩＭＯ及び２×２ＭＩＭＯのスペクトル効率のシミュレーションを示す。
【図４】本発明の規範的な実施形態によるセルラーネットワークシステム内のベースステーション及びユーザ装置を示す。
【発明を実施するための形態】
【００６０】
以下、ここに開示する要旨の実施形態は、添付図面を参照し、及びＬＴＥのような現在規格の観点及びそれらの更なる展開を参照して説明する。しかしながら、現在規格を参照することは、単なる例示に過ぎず、特許請求の範囲をそれに限定するものではない。
【００６１】
図１は、セルラーネットワークシステム１００を示す。ユーザ装置１０２は、セルラーネットワークシステムの第１のセル１０３のサービスを受ける。第１のセルは、ベースステーション１０１に指定される。
【００６２】
ベースステーションとユーザ装置との間の送信及び通信は、変調及びコード化スキームに基づいてコントロールされる。その変調及びコード化スキームは、第１の最大変調次数をもつ複数の変調及びコード化スキームに対応するエントリを含む第１の変調及びコード化スキームテーブルに基づいて選択可能であるか、又は第２の最大変調次数をもつ複数の変調及びコード化スキームに対応するエントリを含む第２の変調及びコード化スキームテーブルに基づいて選択可能である。１つの実施形態では、第２の最大変調次数が、第１の最大変調次数（例えば、６４ＱＡＭまで）より高い（例えば、２５６ＱＡＭまで）。
【００６３】
ベースステーションは、ベースステーションとユーザ装置との間の送信に使用される無線送信チャンネルの実際のチャンネル状態を決定する。次いで、ベースステーションは、その決定された実際のチャンネル状態に基づいて、且つ最終的には、ユーザ装置によってどの変調次数をサポートできるかのユーザ装置からの情報に基づいて、最大のサポートされる変調次数を決定する。次いで、ベースステーションは、その最大のサポートされる変調次数と第１の最大の変調次数及び第２の最大の変調次数との比較に基づいて第１の変調及びコード化スキームテーブル又は第２の変調及びコード化スキームテーブルを選択する。従って、ベースステーションとユーザ装置との間の送信のための変調及びコード化スキーム（ＭＣＳ）は、選択された変調及びコード化スキームテーブルに基づいてコントロールされる。
【００６４】
又、ベースステーションは、他の情報、例えば、既定の選択基準に基づいてテーブルを選択してもよい。
【００６５】
ＬＴＥ（及びＬＴＥ−アドバンスト）では、理論的なスペクトル効率が６４ＱＡＭ変調により制限される。図２は、空間的相関のない１タップのレイリーチャンネルにおいて、８×８ＭＩＭＯ、及び６４ＱＡＭに制限された変調でシミュレーションされたＬＴＥ−アドバンストスループット（参照番号２０１）（コードレート８／９）を示す。又、図２には、比較のために、２５６ＱＡＭへの拡張で得られるスペクトル効率もプロットされている（参照番号２０２）。２５６ＱＡＭへの拡張は、ほぼ２５ｄＢのＳＮＲ範囲で作用を及ぼし始めることが明らかである。この図において、平均ＳＩＮＲがスループットに対してプロットされている。平均がその領域より低くても、フェージングのために２５６ＱＡＭが利得を与えるかどうかに関わらず、チャンネル状態は、しばらくは、依然良好である。
【００６６】
ＬＴＥのスループットは、大きなランクの使用を制限する高い空間的チャンネル相関が生じるより実際的なシナリオ（例えば、リレーバックホールのケース）でも、ＭＣＳにより制限される。これは、図３に示されており、ここでは、高いスペクトル相関シナリオにおいて適応ランク及びＭＣＳ選択を伴う２×２及び４×４ＭＩＭＯスキームに対するスペクトル効率が平均信号対雑音比の関数としてプロットされている。２×２及び４×４の両スキームでは、２つの曲線が示され、その一方では、ＭＣＳが６４ＱＡＭに制限され（２×２：３０４、４×４：３０２）、そしてその他方では、ＭＣＳが２５６ＱＡＭへ拡張される（２×２：３０３、４×４：３０１）。２５６ＱＡＭへの拡張は、これらのシナリオにおいてほぼ１０ｄＢのＳＮＲ範囲からスループットを既に増加することが明らかである。これは、スループットが、６４ＱＡＭで可能である最大スループットよりかなり低いことが既に危惧されることを意味する。
【００６７】
問題は、上位互換性を維持すると共に、著しい複雑さを回避するためにＬＴＥのための２５６ＱＡＭをどのように導入するかである。２５６ＱＡＭの追加は、ＬＴＥ規格で定義されたＭＣＳインデックス及び変調テーブルと、ＣＱＩテーブルとの両方に対して実行する必要がある。
【００６８】
リリース１０では、８レイヤまでの閉ループＭＩＭＯをサポートするために新規ＤＣＩフォーマット２ｃが追加された。１つの単純な解決策は、２５６ＱＡＭのための新規ＤＣＩフォーマットを定義する（そしてＤＣＩの変調及びコード化スキームフィールドに対して６ビット以上を使用する）ことである。これは、望ましい解決策ではない。というのは、ＤＣＩフォーマットの数を倍増し、著しく複雑さを増すからである。ＵＭＴＳでも、１つの特別なシグナリングビット［Ｒ１−０７０６３５  Ｒ１−０７０５７０］を追加することにより１６ＱＡＭから６４ＱＡＭへの拡張がなされる。その特別なビットは、悪いデコーディング性能及びより多くのブラインドデコーディングを犠牲にして新規なＤＣＩフォーマットを定義するか、又は少なくともより多くの任意のＤＣＩサイズを定義することで、設けることができる。或いは、何らかの他のシグナリングからビットが「盗まれ」、６４ＱＡＭがイネーブルされる場合にその半分のエントリしかサポートしないコード割り当てテーブルからビットが盗まれる可能性を、例えば、ＨＳＤＰＡにおいて制限する。
【００６９】
別の考えられる解決策は、既存のＭＣＳ／ＣＱＩインデックステーブルを基礎として取り上げ、その使用を切り換えて、現在ＭＣＳ値のサブセットだけを使用し、例えば、３番目ごとにドロップさせて、付加的な２５６ＱＡＭ値のための余地を作るようにする。これは、チャンネル状態を粗く適応させるもので、望ましくない。以下、この方法は、サブ・サンプリングと称される。
【００７０】
ここに述べる方法の考え方は、既存のＤＣＩフォーマットを使用して良好なチャンネル状態において２５６ＱＡＭの使用を許す新規な手順を定義することである。この目的のために、２５６ＱＡＭへの拡張（Ｑm＝８）を伴う付加的な新規なＭＣＳ及びＣＱＩインデックステーブルが作成される。この新規のテーブルは、通常のものと同じサイズである。オリジナルのインデックステーブルが使用されるか又は２５６ＱＡＭの拡張を伴うテーブルが使用されるかの判断は、ベースステーション（又はｅＮＢ）によって決定され、そしてその切り換えは、シグナリングメッセージでＵＥに指示されるか、又は暗示的な仕方で判断される。
【００７１】
１つの実施形態では、オリジナルテーブル及び２５６ＱＡＭ拡張を伴うテーブルの両方に共通の共通インデックスエリアがあり、ここで、ＭＣＳ／ＣＱＩインデックス、変調次数及びＴＢＳインデックスは、両テーブルにおいて同一であると共に同一の位置にある。曖昧さを回避するためテーブルを切り換える間にはこの共通のＭＣＳインデックスエリアのみが使用される。
【００７２】
１つの実施形態では、２５６ＱＡＭに関連したＴＢ（トランスポートブロック）サイズのための余地が、元々低いＴＢサイズからとられるように、２５６ＱＡＭ拡張を伴うＭＣＳ／ＣＱＩインデックステーブルが形成される。更に、拡張された２５６ＱＡＭテーブルが使用され且つチャンネル状態が急速に下降する状況に対して設定された低い範囲の変調から共通のＭＣＳインデックスエリアにおいて若干の共通の変調／ＴＢサイズがある。これらのインデックスは、低いＴＢＳエリアからサブ・サンプリングすることができる。
【００７３】
ＵＥに切り換えが分かり且つ切り換え中に曖昧なテーブルエントリを使用しないように保証するために、ＣＱＩインデックステーブル切り換えに対して２段階の切り換え手順が設けられる。ＭＣＳテーブルは、２５６ＱＡＭバージョンに予め切り換えられる。
【００７４】
又、例えば、初期のコール設定中に明確な選択が行われる前に、又は良好な品質に向かう迅速な反応を許すために、２５６ＱＡＭを素早く使用しなければならない状況に対して設定された高い範囲の変調から共通のＭＣＳインデックスエリアにおいて若干の共通の変調／ＴＢサイズもある。
【００７５】
ＭＣＳ及びＣＱＩインデックステーブルに対してここに述べる第２のテーブルは、３６．２１３テーブル７．１．７−１に対応して発生されるが、２５６ＱＡＭへの拡張（Ｑm＝８）を伴う。１つの選択肢は、オリジナルテーブル７．１．７−１、及び２５６ＱＡＭ拡張を伴うテーブルがｅＮＢによりＲＲＣメッセージで切り換えられることである（或いは又、ＭＡＣ又はコントロールシグナリングメッセージを考慮することもできる）。この場合に、この切り換えの役割を果たすアルゴリズムは、ｅＮＢベンダー特有であるが、明らかに、ＵＥからのＣＱＩレポートを考慮する。ＵＥは、ＲＲＣメッセージに基づいてＭＣＳインデックステーブルを切り換え、そして受け取ったＲＲＣメッセージに関して確認をｅＮＢへ送信する役割を果たす（確認は、重要ではないが、切り換えをサポートしないＵＥはコマンドを確認しないので、上位互換性の問題を回避する上で助けとなる）。
【００７６】
ＲＲＣメッセージがＵＥにおいて有効になるのに約１００−２００ｍｓを要し（上位レイヤの処理遅延は標準化されておらず、検出エラーの場合にはそれらがどれほど頻繁に再送信されるかに依存する）、そして（１）ＲＲＣメッセージが失われ且つ（２）新規構成がＵＥにより使用されるときにはスタート時間に関連した不確実性があるので、不確実性の時間中にもデータスケジューリングを許す、両テーブルに共通のＭＣＳインデックスエリアがなければならない。これは、切り換えが既に行われたかどうかに関わらず、そのエリアからのＭＣＳが正しく理解されることを保証する。この共通のエリアは、連続的なもので、即ち連続的なＭＣＳエントリを有し、切り換え中にも微細な適応を許す。ＭＣＳインデックス、変調次数及びＴＢＳインデックスは、このエリアの両方のＭＣＳインデックステーブルにおいて同一である。例えば、テーブルを切り換えるＲＲＣ手順の間に、ＭＣＳインデックステーブルを切り換えるＲＲＣメッセージを受信したという確認をＵＥからｅＮＢが受信する前には、この共通のＭＣＳインデックスエリアしか使用することができない。又、この共通のインデックスエリアは、暗示的なテーブル切り換えが使用される場合にも使用され、このケースでは、暗示的な切り換え手順の間に共通のエリアしか使用できない。
【００７７】
更に、拡張された２５６ＱＡＭテーブルが使用され且つチャンネル状態が急速に降下する状況に対して共通のＭＣＳインデックスエリアには若干の共通の低い変調／ＴＢサイズがある。切り換えコマンドを送信するために要求されるＴＢサイズは、共通のＭＣＳインデックスエリアにおいて得られる。
【００７８】
新規のＴＢサイズは、２５６ＱＡＭでのスペクトル効率を高めるために、２５６ＱＡＭ拡張を伴うＭＣＳ／ＣＱＩインデックステーブルに導入される。
●これらの新規ＴＢサイズのための余地を現在の低いＴＢサイズ（ＱＰＳＫ及びおそらくは低い１６ＱＡＭ）からとることができる。
●ＱＡＭのための予約されたＴＢＳサイズも低変調の共通のＭＣＳエリアにある。このＭＣＳは、特に、以前の初期送信が高いＭＣＳ、特に、高い変調次数、又は異なる数の指定リソースで行われた場合には、悪いチャンネル状態での再送信に使用される。しかしながら、含まれた２５６ＱＡＭに対してエントリを予約する必要はない。
●又、２５６ＱＡＭを素早く使用することが有用なコール設定のような状況では共通のエリアに幾つかの２５６ＱＡＭエントリがある（上位互換性を失い且つ「普通」の範囲で得られる入力が少ないことを犠牲にして）。高いダイナミックレンジを得るためにサブ・サンプリングが使用されるそのようなデフォールト「妥協」ＭＣＳテーブルは、ｅＮＢがＵＥの能力に気付くや否や使用することができる。レガシーテーブル、即ち低い最大変調次数をもつものから、その妥協テーブル、即ち高い最大変調次数をもつものへの切り換えは、ｅＮＢに能力を利用できるようにする能力問合せ手順の一部分として暗示的に行うことができる。その後、低い又は高いＭＣＳに焦点を合わせたテーブルへの明確な切り換えが行われるが、チャンネル状態が迅速に変化して明確な切り換えを実現できない場合には、サブ・サンプリングされるテーブルへの明確な切り換えも行われる。
【００７９】
ＭＣＳインデックス及び２５６ＱＡＭ拡張を伴う変調テーブルの一例がテーブル１に示されている。ＭＣＳインデックス１２から３１は、連続的な共通のＭＣＳインデックスエリアを指す。ＭＣＳインデックス０、５及び１０は、サブ・サンプリングされる低変調の共通ＭＣＳインデックスエリアを指し、そしてＭＣＳインデックス１から４、６から９及び１は、２５６ＱＡＭ拡張を指す。
【００８０】
2020065291.tif 000003
2020065291.tif 000004
【００８１】
ＭＣＳインデックステーブルと同様に、２５６ＱＡＭ拡張及び共通インデックスエリアを伴う新規なＣＱＩインデックステーブルが使用される。ＣＱＩテーブルは、ＭＣＳインデックステーブル切り換えの役割を果たす同じＲＲＣメッセージで切り換えられる。別のケースでは、ＣＱＩテーブルは、暗示的に切り換えられる。ｅＮＢは、このＲＲＣ手順の間の厳密な時間にＵＥがどのテーブルを使用するか知らないことにより生じる考えられるエラー状況を取り扱うという役割を果たす。ｅＮＢは、例えば、非共通ＣＱＩインデックスを単に無視し、それらを最も近い共通のインデックスへと丸めるか又はリスクを負い、そしてどのテーブルに関連している見込みが最も高いか発見的手法に基づいて判断することができる。そのようなエラーケースが生じるのは、ｅＮＢが変更を開始し、それ故、切り換え中の曖昧なエントリを回避できるＭＣＳ選択とは対照的に、ＣＱＩでは、ＵＥが差し迫った切り換えに気付かず、従って、それを回避できない（無益に常時それを回避しない限り）からである。曖昧なテーブルエントリの場合にｅＮＢが正しい判断を選ぶ見込みを高めるためには、ＭＣＳインデックスに対するＴＢＳの最小の差を最大にしなければならない。これは、テーブル１のケースである。というのは、２５６及びＱＡＭの両方のケースについてＴＢＳを高めるようにエントリが配置されているからである。２５６ＱＡＭのケースが逆の順序である場合には、ＭＣＳインデックス９に対して、ＴＢＳが２６（２５６ＱＡＭの場合）又は８（ＱＰＳＫの場合）であり、即ち差は、２６−８＝１８であり、一方、テーブル１では、その差が３３−８＝２５である。この差が大きいほど、ｅＮＢが発見的手法を使用できない見込みが少なくなる（例えば、チャンネルが２５段階のその量だけ実際に変更される場合）。同じ理由で、予約された２５６ＱＡＭエントリを、最も高いＭＣＳインデックスに、即ちテーブル１のＭＣＳインデックス１１に対して配置するのが有益である。その予約されたエントリは、アップリンクではなく、ダウンリンクについてのみ関与する。それ故、アップリンクテーブルでは、それを容易にドロップさせて、ＱＡＭの通常のエントリ（テーブル１ではＴＢＳ１０）に置き換えることができる。
【００８２】
切り換え時間中に曖昧なＣＱＩレポートを回避するために、２段階切り換え手順を使用することができ、第１のコマンドでは、ｅＮＢが切り換えを通知する。次いで、ＵＥには共通のＭＣＳエリアからのＣＱＩレポートだけが使用される。第２のコマンドにおいて、ｅＮＢは、切り換えの実行を指令する。次いで、ＵＥは、高いＭＣＳのテーブルを完全に使用する。ここで、２つの曖昧な周期があるという事実にも関わらず、誤解のおそれはない。即ち、両方の曖昧な周期の間に、ＵＥは、充分に定義されたＭＣＳテーブル（第１の曖昧な周期中のオリジナルのもの及び第２の周期中の最終的なもの）を使用するか、又は共通のＭＣＳエリアからのＭＣＳのみを使用し、この共通のエリアでは、誤解のおそれがない。これは、共通のＭＣＳエリアからのエントリが両テーブルにおいて同一にコード化されるためである。これは、高ＭＣＳエリアのエントリの順序を非連続的にするが、これは、あまり複雑ではなく、例えば、ルックアップテーブルを実施することにより解決することができる。
【００８３】
この実施形態によるメッセージの流れは、次の通りである。
１）ｅＮＢからＵＥ：ＭＣＳテーブルを切り換えそして共通のインデックスエリアへのＣＱＩレポートを制限するためのＲＲＣメッセージ。ｅＮＢは、ＭＣＳに対して共通のインデックスエリアのみを使用する。
２）ＵＥからｅＮＢ：確認（及び暗示的メッセージ）、ｅＮＢは、ここで、新規なＭＣＳテーブルの完全なインデックスエリアを使用し、ｅＮＢは、ＵＥが新規なＣＱＩテーブル（最初は共通のインデックスエリアのみ）を使用することを知る。
３）ｅＮＢからＵＥ：確認、ＵＥは、ここで、新規なＣＱＩテーブルの完全なインデックスエリアを使用する。
【００８４】
実際には２つのハンドシェークがあるにも関わらず、４つのメッセージを使用せず、２つだけである。というのは、中間のメッセージがＣＱＩ及びＭＣＳの両テーブルにおいて２つの意味をもつからである。
【００８５】
曖昧なＣＱＩレポートを回避するための別の解決策は、ＵＥがＣＱＩに対するテーブルの切り換えを開始し、そしてｅＮＢがＭＣＳに対する切り換えを開始できるようにすることである。従って、常に、メッセージの発信者は、対応するテーブルへ切り換え、それ故、曖昧な周期中に共通のインデックスエリアへ使用を制限することができる。
【００８６】
２５６ＱＡＭをサポートするＵＥの能力を指示するには、２５６ＱＡＭが含まれた新規なＵＥカテゴリーが必要である。ＵＥが２５６ＱＡＭをサポートしない場合には、前記プロセス、及び２５６ＱＡＭ拡張を伴うＭＣＳ／ＣＱＩインデックステーブルが使用されない。或いは又、ｅＮＢは、切り換えコマンドを送信し、そしてＵＥが２５６ＱＡＭをサポートするかどうかに関わらず応答を決定することができる。初期のアクセス段階では、ｅＮＢにＵＥの能力がまだ分からないので、２５６ＱＡＭ、ひいては、より高い変調次数のＭＣＳテーブルを使用してはならない。
【００８７】
上述したプロセスは、より高いＭＣＳへの拡張に使用することができる。又、このプロセスは、３つ以上のテーブルをカバーしてそれらの間を切り換えるように拡張することができる。２つ以上のテーブルに表わされる共通のＭＣＳは、常に、同一の位置でなければならない。テーブル間では共通のインデックスエリアのサイズ及び形態に差があり、例えば、異なるテーブルに異なるレベルのサブ・サンプリングをもたせることができる。例えば、低、中間及び高の３つのテーブルがある。中間テーブルは、低変調エリアに１つおきのＭＣＳエントリを含むことができ、一方、高テーブルは、（テーブル１と同様に）３つおきのエントリしか使用せず、それらのエントリは、中間テーブルにも存在するものから選択される。これが可能であるのは、２が４の約数だからであり、それ故、高テーブルのサブ・サンプリングは、適合しない２つおき又は４つおきのエントリを選択してはならない。又、これは、ＣＱＩ値の広い範囲をカバーするテーブル１に使用されてもよい。
【００８８】
ここに提案する解決策には多数の効果がある。既存のＤＣＩフォーマット設計は、不変である。これは、ＵＥにおける既存のＤＣＩブラインドデコーディング負担を維持しながら、各ＤＬ  ＤＣＩフォーマットに対して２５６ＱＡＭをサポートできるようにする。ここに提案するスキームは、ｅＮＢがシグナリングエラーによる複雑なエラーのケースを容易に回避するための手段を提供する。ここに提案する設計は、既存のＤＬリソース割り当て（ＣＱＩ／ＭＣＳインデックステーブル）の基本的な機能を不変に保持できるようにする。従って、ＤＬスケジューラ動作への影響は、最小であるに過ぎない。
【００８９】
図４は、本発明の規範的実施形態によるセルラーネットワークシステム４００を示す。このセルラーネットワークシステムは、ベースステーション１０１と、このベースステーションのサービスを受けるユーザ装置１０２とを備えている。
【００９０】
以下、ベースステーションは、決定ユニットと共に説明する。しかしながら、決定ユニットは、任意であることに注意されたい。
【００９１】
ベースステーションは、ベースステーション１０１とユーザ装置１０２との間の送信に使用される無線送信チャンネルの実際のチャンネル状態を決定すると共に、その決定された実際のチャンネル状態に基づいて最大のサポートされる変調次数を決定するための決定ユニット４０２を備えている。ベースステーションは、更に、既定の基準に基づくか、又は最大のサポートされる変調次数と第１の最大の変調次数及び第２の最大の変調次数との比較に基づいて、第１の変調及びコード化スキームテーブル又は第２の変調及びコード化スキームテーブルを選択するための選択ユニット４０３を備えている。更に、ベースステーションは、その選択された変調及びコード化スキームテーブルに基づいてベースステーションとユーザ装置との間の送信に対して変調及びコード化スキームをコントロールするためのコントロールユニット４０４を備えている。
【００９２】
ベースステーションは、セルラーネットワークシステムへのワイヤレスアクセスを与えることのできる任意の形式のアクセスポイント又は取り付けポイントである。従って、ワイヤレスアクセスは、ワイヤレスで通信できるユーザ装置又は他のネットワーク装置に対して行われる。ベースステーションは、ＮｏｄｅＢ、ｅＮＢ、ホームＮｏｄｅＢ又はＨｅＮＢ、或いは他の種類のアクセスポイントである。
【００９３】
ベースステーションは、受信ユニット、例えば、当業者に知られた受信器を含む。又、ベースステーションは、送信ユニット又は伝送ユニット、例えば、送信器も含む。受信器及び送信器は、単一のユニット、例えば、トランシーバ４０１として実施されてもよい。トランシーバ、又は受信ユニット・送信ユニットは、アンテナを経てユーザ装置と通信するようにされる。
【００９４】
決定ユニット４０２、選択ユニット４０３及びコントロールユニット４０４は、単一のユニットとして実施されてもよいし、或いは例えば、ＣＰＵ又はマイクロコントローラのような標準コントロールユニットの一部分として実施されてもよい。
【００９５】
ユーザ装置（ＵＥ）は、ここに述べるベースステーションに接続することのできる任意の形式の通信端装置である。ＵＥは、特に、セルラー移動電話、パーソナルデジタルアシスタント（ＰＤＡ）、ノートブックコンピュータ、プリンタ、及び／又は任意の他の移動通信装置である。
【００９６】
ユーザ装置は、ベースステーションからの信号を受信するための受信ユニット又は受信器を備えている。ユーザ装置は、信号を送信するための送信ユニットを備えている。送信ユニットは、当業者に知られた送信器である。受信器及び送信ユニットは、単一のユニット、例えば、トランシーバ４０５として実施されてもよい。トランシーバ、或いは受信器及び送信ユニットは、アンテナを経てベースステーションと通信するようにされる。
【００９７】
ユーザ装置は、更に、選択されたＭＣＳテーブルを表わすベースステーションから受信した情報に基づいて送信をコントロール及び構成するためのコントロールユニット４０６を備えている。このコントロールユニットは、単一のユニットとして実施されてもよいし、或いは例えば、ＣＰＵ又はマイクロコントローラのような標準的コントロールユニットの一部分として実施されてもよい。
【００９８】
ここに開示する要旨に関して、ある実施形態は、「ベースステーション」「ｅＮＢ」等を言及するが、それらの各言及は、一般的な用語「ネットワークコンポーネント」或いは他の実施形態では用語「ネットワークアクセスノード」を暗示的に開示すると考えられることを理解されたい。又、特定の規格又は特定の通信技術に関する他の用語も、望ましい機能を伴う各一般的な用語を暗示的に開示すると考えられる。
【００９９】
更に、ここに開示するベースステーションは、幾つかの実施形態で述べる専用エンティティに限定されないことに注意されたい。むしろ、ここに述べる要旨は、望ましい機能を発揮しながら、通信ネットワークの種々の位置において種々の仕方で実施することができる。
【０１００】
本発明の実施形態によれば、ここに開示する適当なエンティティ（例えば、コンポーネント、ユニット及び装置）、例えば、決定ユニットは、ここに開示する各エンティティの機能をプロセッサ装置が発揮できるようにする各コンピュータプログラムの形態で、少なくとも一部分、提供されてもよい。他の実施形態によれば、ここに開示する適当なエンティティは、ハードウェアで提供されてもよい。他の混成実施形態によれば、あるエンティティは、ソフトウェアで提供され、一方、他のエンティティは、ハードウェアで提供される。
【０１０１】
ここに開示するエンティティ（例えば、コンポーネント、ユニット及び装置）は、幾つかの実施形態で述べる専用のエンティティに限定されないことに注意されたい。むしろ、ここに開示する要旨は、望ましい機能を発揮しながら、種々の仕方で及び装置レベルでの種々の粒度で実施することができる。更に、実施形態によれば、ここに開示する各機能に対して個別のエンティティ（例えば、ソフトウェアモジュール、ハードウェアモジュール又は混成モジュール）が提供されてもよいことに注意されたい。他の実施形態によれば、ここに開示する２つ以上の機能を提供するようにエンティティ（例えば、ソフトウェアモジュール、ハードウェアモジュール、又は混成モジュール（ソフトウェア／ハードウェア複合モジュール））が構成される。
【０１０２】
「備える」という語は、他の要素又は段階を除外するものでないことに注意されたい。又、本発明の更なる洗練化において、上述した異なる実施形態からの特徴を結合することもできる。又、請求項における参照符号は、請求項の範囲を限定するものと解釈されてはならないことにも注意されたい。
【符号の説明】
【０１０３】
１００：セルラーネットワークシステム
１０１：ベースステーション
１０２：ユーザ装置
１０３：セル
２０１：６４ＱＡＭの８×８ＭＩＭＯ
２０２：２５６ＱＡＭの８×８ＭＩＭＯ
３０１：２５６ＱＡＭの４×４ＭＩＭＯ
３０２：６４ＱＡＭの４×４ＭＩＭＯ
３０３：２５６ＱＡＭの２×２ＭＩＭＯ
３０４：６４ＱＡＭの２×２ＭＩＭＯ
４００：セルラーネットワークシステム
４０１：ベースステーションのトランシーバ
４０２：ベースステーションの決定ユニット
４０３：ベースステーションの選択ユニット
４０４：ベースステーションのコントロールユニット
４０５：ユーザ装置のトランシーバ
４０６：ユーザ装置のコントロールユニット
【図１】
2020065291.tif 000005
【図２】
2020065291.tif 000006
【図３】
2020065291.tif 000007
【図４】
2020065291.tif 000008
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
ワイヤレスアクセスシステムにおいてチャンネル品質指示子（ＣＱＩ）レポートを実行するユーザ装置（ＵＥ）であって、
トランシーバと、
プロセッサと、
コンピュータプログラムコードを含むメモリと、
を備え、前記メモリ及びコンピュータプログラムコードは、前記プロセッサ及び前記トランシーバと共に、前記ＵＥに、
６４直角振幅変調（６４ＱＡＭ）での変調及びコード化スキームに対応するＣＱＩインデックスを含む第１のＣＱＩインデックステーブルと、２５６ＱＡＭでの変調及びコード化スキームに対応するＣＱＩインデックスを含む第２のＣＱＩインデックステーブルとを含むＣＱＩインデックステーブルの一方を示す無線リソースコントロール（ＲＲＣ）メッセージをベースステーションから受け取り、及び
前記ＲＲＣメッセージに従って前記第１のＣＱＩインデックステーブル又は前記第２のＣＱＩインデックステーブルに基づいて生成されるＣＱＩレポートを前記ベースステーションに対して実行する、
ことを行わせる、ＵＥ。
【請求項２】
前記第１のＣＱＩインデックステーブル及び前記第２のＣＱＩインデックステーブルは、同じサイズを有する、請求項１に記載のＵＥ。
【請求項３】
前記メモリ及びコンピュータプログラムコードは、前記プロセッサ及び前記トランシーバと共に、前記ＵＥに、
ダウンリンクリソース割り当てに使用されるダウンリンクコントロール情報（ＤＣＩ）を前記ベースステーションから受け取り、
前記ＤＣＩに基づいて前記ベースステーションと通信を実行する、
ことを行わせ、前記ＣＱＩレポートは、前記通信に基づいて実行される、請求項１に記載のＵＥ。
【請求項４】
前記通信は、２５６ＱＡＭをサポートする変調及びコード化スキームインデックスに基づく、請求項３に記載のＵＥ。
【請求項５】
ワイヤレスアクセスシステムにおいてチャンネル品質指示子（ＣＱＩ）レポートを実行する方法であって、
６４直角振幅変調（６４ＱＡＭ）での変調及びコード化スキームに対応するＣＱＩインデックスを含む第１のＣＱＩインデックステーブルと、２５６ＱＡＭでの変調及びコード化スキームに対応するＣＱＩインデックスを含む第２のＣＱＩインデックステーブルとを含むＣＱＩインデックステーブルの一方を示す無線リソースコントロール（ＲＲＣ）メッセージをユーザ装置（ＵＥ）によってベースステーションから受け取り、及び
前記ＲＲＣメッセージに従って前記第１のＣＱＩインデックステーブル又は前記第２のＣＱＩインデックステーブルに基づいて生成されるＣＱＩレポートを前記ベースステーションに対して実行する、
ことを含む方法。
【請求項６】
前記第１のＣＱＩインデックステーブル及び前記第２のＣＱＩインデックステーブルは、同じサイズを有する、請求項５に記載の方法。
【請求項７】
ダウンリンクリソース割り当てに使用されるダウンリンクコントロール情報（ＤＣＩ）を前記ベースステーションから受け取り、
前記ＤＣＩに基づいて前記ベースステーションと通信を実行する、
ことを更に含み、前記ＣＱＩレポートは、前記通信に基づいて実行される、請求項５に記載の方法。
【請求項８】
前記通信は、２５６ＱＡＭをサポートする変調及びコード化スキームインデックスに基づく、請求項７に記載の方法。
【請求項９】
ワイヤレスアクセスシステムにおいてチャンネル品質指示子（ＣＱＩ）レポートを受け取るベースステーションであって、
トランシーバと、
プロセッサと、
コンピュータプログラムコードを含むメモリと、
を備え、前記メモリ及びコンピュータプログラムコードは、前記プロセッサ及び前記トランシーバと共に、前記ベースステーションに、
６４直角振幅変調（６４ＱＡＭ）での変調及びコード化スキームに対応するＣＱＩインデックスを含む第１のＣＱＩインデックステーブルと、２５６ＱＡＭでの変調及びコード化スキームに対応するＣＱＩインデックスを含む第２のＣＱＩインデックステーブルとを含むＣＱＩインデックステーブルの一方を示す無線リソースコントロール（ＲＲＣ）メッセージをユーザ装置（ＵＥ）に送信し、及び
前記ＲＲＣメッセージに従って前記第１のＣＱＩインデックステーブル又は前記第２のＣＱＩインデックステーブルに基づいて生成されるＣＱＩレポートを前記ＵＥから受け取る、
ことを行わせる、ベースステーション。
【請求項１０】
前記第１のＣＱＩインデックステーブル及び前記第２のＣＱＩインデックステーブルは、同じサイズを有する、請求項９に記載のベースステーション。
【請求項１１】
前記メモリ及びコンピュータプログラムコードは、前記プロセッサ及び前記トランシーバと共に、前記ベースステーションに、
ダウンリンクリソース割り当てに使用されるダウンリンクコントロール情報（ＤＣＩ）を前記ＵＥに送信し、
前記ＤＣＩに基づいて前記ＵＥと通信を実行する、
ことを行わせ、前記ＣＱＩレポートは、前記通信に基づいて受け取られる、請求項９に記載のベースステーション。
【請求項１２】
前記通信は、２５６ＱＡＭをサポートする変調及びコード化スキームインデックスに基づく、請求項１１に記載のベースステーション。
【請求項１３】
ワイヤレスアクセスシステムにおいてチャンネル品質指示子（ＣＱＩ）レポートを受け取る方法であって、
６４直角振幅変調（６４ＱＡＭ）での変調及びコード化スキームに対応するＣＱＩインデックスを含む第１のＣＱＩインデックステーブルと、２５６ＱＡＭでの変調及びコード化スキームに対応するＣＱＩインデックスを含む第２のＣＱＩインデックステーブルとを含むＣＱＩインデックステーブルの一方を示す無線リソースコントロール（ＲＲＣ）メッセージをベースステーションによってユーザ装置（ＵＥ）に送信し、及び
前記ＲＲＣメッセージに従って前記第１のＣＱＩインデックステーブル又は前記第２のＣＱＩインデックステーブルに基づいて生成されるＣＱＩレポートを前記ＵＥから受け取る、
ことを含む方法。
【請求項１４】
前記第１のＣＱＩインデックステーブル及び前記第２のＣＱＩインデックステーブルは、同じサイズを有する、請求項１３に記載の方法。
【請求項１５】
ダウンリンクリソース割り当てに使用されるダウンリンクコントロール情報（ＤＣＩ）を前記ＵＥに送信し、
前記ＤＣＩに基づいて前記ＵＥと通信を実行する、
ことを更に含み、前記ＣＱＩレポートは、前記通信に基づいて実行される、請求項１３に記載の方法。
【請求項１６】
前記通信は、２５６ＱＡＭをサポートする変調及びコード化スキームインデックスに基づく、請求項１５に記載の方法。
【請求項１７】
ユーザ装置（１０２）とベースステーション（１０１）との間の通信に対する変調及びコード化スキームのコントロールをサポートする方法であって、
前記チャンネル状態に基づいて選択された変調及びコード化スキームテーブルを示す情報を含む無線リソースコントロール（ＲＲＣ）メッセージを前記ユーザ装置（１０２）によって前記ベースステーション（１０１）から受け取り、
前記選択された変調及びコード化スキームテーブルに基づく前記変調及びコード化スキームを使用して前記ユーザ装置（１０２）によって前記ベースステーション（１０１）と通信を実行する、
ことを含み、
前記選択された変調及びコード化スキームテーブルは、第１の最大変調次数をもつ複数の変調及びコード化スキームに対応するエントリを含む第１の変調及びコード化スキームテーブル、又は第２の最大変調次数をもつ複数の変調及びコード化スキームに対応するエントリを含む第２の変調及びコード化スキームテーブルであり、
前記第２の最大変調次数は、前記第１の最大変調次数より高く、前記第１の最大変調次数は、６４ＱＡＭに対応し、前記第２の最大変調次数は、２５６ＱＡＭに対応する、方法。
【請求項１８】
前記ベースステーション（１０１）と前記ユーザ装置（１０２）との間の最初の送信をコントロールすることは、前記第１の変調及びコード化スキームテーブルに基づく、請求項１７に記載の方法。
【請求項１９】
変調及びコード化スキームインデックスを搬送するビットは、前記第１の変調及びコード化スキームテーブルと、前記第２の変調及びコード化スキームテーブルとについて同じである、請求項１７に記載の方法。
【請求項２０】
ベースステーション（１０１）との間の通信に対する変調及びコード化スキームをコントロールするユーザ装置（１０２）であって、
トランシーバ（４０５）と、
コントロールユニット（４０６）と、
コンピュータプログラムコードを含むメモリと、
を備え、前記メモリ及びコンピュータプログラムコードは、前記プロセッサ及び前記トランシーバと共に、前記ユーザ装置（１０２）に、
前記チャンネル状態に基づいて選択された変調及びコード化スキームテーブルを示す情報を含む無線リソースコントロール（ＲＲＣ）メッセージを前記ベースステーション（１０１）から受け取り、
前記選択された変調及びコード化スキームテーブルに基づく前記変調及びコード化スキームを使用して前記ベースステーション（１０１）と通信を実行する、
ことを行わせ、
前記選択された変調及びコード化スキームテーブルは、第１の最大変調次数をもつ複数の変調及びコード化スキームに対応するエントリを含む第１の変調及びコード化スキームテーブル、又は第２の最大変調次数をもつ複数の変調及びコード化スキームに対応するエントリを含む第２の変調及びコード化スキームテーブルであり、
前記第２の最大変調次数は、前記第１の最大変調次数より高く、前記第１の最大変調次数は、６４ＱＡＭに対応し、前記第２の最大変調次数は、２５６ＱＡＭに対応する、ユーザ装置。
【請求項２１】
前記ベースステーション（１０１）と前記ユーザ装置（１０２）との間の最初の送信をコントロールすることは、前記第１の変調及びコード化スキームテーブルに基づく、請求項２０に記載のユーザ装置。
【請求項２２】
変調及びコード化スキームインデックスを搬送するビットは、前記第１の変調及びコード化スキームテーブルと、前記第２の変調及びコード化スキームテーブルとについて同じである、請求項２０に記載のユーザ装置。